(57)【要約】【課題】補正対象の表示ユニットの映像と補正対象の表示ユニットの制御情報とを一つの画面に表示する映像表示装置を提供すること。【解決手段】表示ユニット１３１で形成された画面にテストパターン映像を表示する複数の映像表示手段１１０と、表示ユニット１３１をそれぞれ制御する複数の表示制御手段１２０と、表示ユニット１３１の制御情報をそれぞれ格納する複数の制御情報格納手段１３０と、予め設定されたテストパターン映像の映像データ信号を生成する映像データ信号生成手段１４０と、１つの表示ユニット１３１を選択する表示ユニット選択手段１５０と、映像にカーソルと制御情報とを合成する制御情報合成手段１６０と、制御情報を変更する変更情報に基づいて制御情報を変更する制御情報変更手段１７０とを備える。【選択図】　　　　　図２
2004062070.tif 000002
【特許請求の範囲】
【請求項１】
予め設定されたテストパターン映像の映像データ信号を生成する映像データ信号生成手段と、複数の表示ユニットで形成された画面に前記予め設定されたテストパターン映像を表示する映像表示手段と、前記複数の表示ユニットの制御情報をそれぞれ格納する複数の制御情報格納手段と、前記複数の制御情報格納手段に格納された前記制御情報に基づいて前記複数の表示ユニットをそれぞれ制御する複数の表示制御手段と、前記複数の表示ユニットから１つの表示ユニットを選択する表示ユニット選択手段と、前記予め設定されたテストパターン映像に前記表示ユニット選択手段により選択された前記表示ユニットであることを示すカーソルと前記制御情報とを合成する制御情報合成手段と、前記選択された表示ユニットの前記制御情報を変更する変更情報に基づいて前記制御情報を変更する制御情報変更手段とを備えることを特徴とする映像表示装置。
【請求項２】
前記画面を複数のグループに分割し、前記制御情報合成手段は、選択された前記表示ユニットが含まれる第１グループと前記制御情報が表示される第２グループとが一致するか否かを判定し、前記第１グループと前記第２グループとが一致すると判定されたとき前記制御情報が表示される位置を設定された位置に変更することを特徴とする請求項１に記載の映像表示装置。
【請求項３】
前記制御情報は、少なくとも前記表示ユニットの輝度を制御する輝度制御情報を含み、前記制御情報変更手段は、前記変更情報に基づいて前記輝度制御情報を変更することを特徴とする請求項１に記載の映像表示装置。
【請求項４】
前記制御情報は、少なくとも前記表示ユニットの色温度を制御する色温度制御情報を含み、前記制御情報変更手段は、前記変更情報に基づいて前記色温度制御情報を変更することを特徴とする請求項１に記載の映像表示装置。
【請求項５】
前記制御情報は、少なくとも前記表示ユニットのホワイトバランスを制御するホワイトバランス制御情報を含み、前記制御情報変更手段は、前記変更情報に基づいて前記ホワイトバランス制御情報を変更することを特徴とする請求項１に記載の映像表示装置。
【発明の詳細な説明】
【０００１】
【発明の属する技術分野】
本発明は、大型スタジアム、多目的ホール、ビル外壁などに設置される映像表示装置に関する。
【０００２】
【従来の技術】
従来、この種の映像表示装置として、特開２００１‐２９０４７１号公報に記載されたものが知られている。この従来の映像表示装置１は、図６に示すように、操作パネル２を有する入力装置３に接続されており、三原色の発光素子からなる絵素を集積配置した表示ユニット４と、この表示ユニット４が複数個マトリクス状に組み合わせてなる映像表示部５と、この映像表示部５に電源を供給する分電盤６と、マトリクス状に配置された複数の表示ユニット４に映像データ信号を分配する表示データ分配器７と、表示データ分配器７を介して映像表示部５を制御する映像制御部８とを備えている。また、入力装置３としてパーソナルコンピュータ等の外部端末が使用されている。
【０００３】
また、映像制御部８は、読取り専用メモリ（以下、単にＲＯＭという。）９、中央処理装置（以下、単にＣＰＵという。）１０および表示盤制御メモリ１１を備えている。ＲＯＭ９は、映像表示装置１に関する制御パラメータとなる各種構成情報および設定情報を記憶している。ＣＰＵ１０は、入力装置３からＣＰＵ１０に命令が入力されることにより、入力された命令に対応する制御パラメータをＲＯＭ９から読み出し、読み出された制御パラメータに基づくデータを制御データとして表示盤制御メモリ１１に書き込むようになっている。
【０００４】
さらに、映像制御部８は、表示盤制御メモリ１１に書き込まれた制御データに基づいて映像表示部５を制御するようになっている。したがって、映像表示装置１に仕様変更があったときには、入力装置３の操作によりＲＯＭ９に記憶されている各種の制御パラメータを更新したり、新しい制御パラメータを記憶させたＲＯＭ９に付け替えたりして、映像表示装置１の仕様変更に対応している。
【０００５】
このような映像表示装置１においては、表示ユニット４ごとに映像の輝度や色度が予め設定された規格内に調整されているが、複数の表示ユニット４で形成された画面では、複数の表示ユニット間の輝度や色度の差により目立ってしまう表示ユニット４がある。また、修理のために表示ユニット４を交換したときには、他の表示ユニット４に比較して交換した表示ユニット４が明るく目立ってしまう。このような表示ユニット間の輝度や色度の差を輝度ムラや色度ムラとして認識させないように、次のような方法で操作者が補正作業を行っていた。
【０００６】
すなわち、複数の表示ユニット４で形成された画面に表示された映像の輝度ムラや色度ムラを補正する補正作業は、操作者が入力装置３の表示部に表示される補正対象の表示ユニット４の制御情報と補正対象の表示ユニット４の映像とを目で確認しながら行っていた。
【０００７】
【発明が解決しようとする課題】
しかしながら、従来の映像表示装置は、操作者が複数の表示ユニットで形成された画面に表示された映像の輝度ムラや色度ムラを補正する補正作業をするとき、補正対象の表示ユニットの映像と補正対象の表示ユニットの制御情報とを別々の画面で確認しながら輝度ムラや色度ムラを補正しなければならないため、補正作業が煩雑であるという問題があった。
【０００８】
本発明は、従来の問題を解決するためになされたもので、操作者が複数の表示ユニットで形成された画面に表示された映像の輝度ムラや色度ムラを補正する補正作業をするとき、補正対象の表示ユニットの映像と補正対象の表示ユニットの制御情報とを一つの画面で確認しながら輝度ムラや色度ムラを補正することにより、補正作業を容易にすることができる映像表示装置を提供するものである。
【０００９】
【課題を解決するための手段】
本発明の映像表示装置は、予め設定されたテストパターン映像の映像データ信号を生成する映像データ信号生成手段と、複数の表示ユニットで形成された画面に前記予め設定されたテストパターン映像を表示する映像表示手段と、前記複数の表示ユニットの制御情報をそれぞれ格納する複数の制御情報格納手段と、前記複数の制御情報格納手段に格納された前記制御情報に基づいて前記複数の表示ユニットをそれぞれ制御する複数の表示制御手段と、前記複数の表示ユニットから１つの表示ユニットを選択する表示ユニット選択手段と、前記予め設定されたテストパターン映像に前記表示ユニット選択手段により選択された表示ユニットであることを示すカーソルと前記制御情報とを合成する制御情報合成手段と、前記選択された表示ユニットの前記制御情報を変更する変更情報を取得し、前記変更情報に基づいて前記制御情報を変更する制御情報変更手段とを備える構成を有している。
【００１０】
この構成により、複数の表示ユニットで形成された画面に表示された映像の輝度ムラや色度ムラを補正する補正作業をするとき、補正対象の表示ユニットの映像と補正対象の表示ユニットの制御情報とを一つの画面で確認しながら制御情報を変更することができる。
【００１１】
また、本発明の映像表示装置は、前記画面を複数のグループに分割し、前記制御情報合成手段は、選択された前記表示ユニットが含まれる第１グループと前記制御情報が表示される第２グループとが一致するか否かを判定し、前記第１グループと前記第２グループとが一致すると判定されたとき前記制御情報が表示される位置を設定された位置に変更する構成を有している。
【００１２】
この構成により、補正対象の表示ユニットが含まれるグループと補正対象の表示ユニットの制御情報が表示されるグループとが一致するとき、制御情報を表示する位置を予め設定された位置に変更することができる。
【００１３】
また、本発明の映像表示装置は、前記制御情報は、少なくとも前記表示ユニットの輝度を制御する輝度制御情報を含み、前記制御情報変更手段は、前記変更情報に基づいて前記輝度制御情報を変更する構成を有している。
【００１４】
この構成により、複数の表示ユニットで形成された画面に表示された映像の輝度ムラを補正する補正作業をするとき、補正対象の表示ユニットの映像と補正対象の表示ユニットの輝度制御情報とを一つの画面で確認しながら輝度制御情報を変更することができる。
【００１５】
また、本発明の映像表示装置は、前記制御情報は、少なくとも前記表示ユニットの色温度を制御する色温度制御情報を含み、前記制御情報変更手段は、前記変更情報に基づいて前記色温度制御情報を変更する構成を有している。
【００１６】
この構成により、複数の表示ユニットで形成された画面に表示された映像の色温度ムラを補正する補正作業をするとき、補正対象の表示ユニットの映像と補正対象の表示ユニットの色温度制御情報とを一つの画面で確認しながら色温度制御情報を変更することができる。
【００１７】
また、本発明の映像表示装置は、前記制御情報は、少なくとも前記表示ユニットのホワイトバランスを制御するホワイトバランス制御情報を含み、前記制御情報変更手段は、前記変更情報に基づいて前記ホワイトバランス制御情報を変更する構成を有している。
【００１８】
この構成により、複数の表示ユニット４で形成された画面に表示された映像のホワイトバランスを補正する補正作業をするとき、補正対象の表示ユニットの映像と補正対象の表示ユニットのホワイトバランス制御情報とを一つの画面で確認しながらホワイトバランス制御情報を変更することができる。
【００１９】
【発明の実施の形態】
以下、本発明の実施の形態について、図面を参照して説明する。
【００２０】
図１及び図２は、本発明に係る実施の形態の映像表示装置のブロック図を示す。
【００２１】
図１に示すように、本発明の映像表示装置１００は、操作パネルを有するリモート端末１２４と、複数の表示ユニット１３１で形成された画面に映像を表示する映像表示部１２３と、画面を形成する複数の表示ユニット１３１に映像データ信号をそれぞれ分配する信号分配器１２２と、信号分配器１２２を制御するコントローラ１２１とを備えている。
【００２２】
コントローラ１２１は、アナログ映像信号をデジタル映像信号に変換するアナログデジタル変換部（以下、単にＡＤ変換部という。）１１１と、映像表示部１２３の画面に表示される映像の明るさや色合い等を調整する映像調整部１１２と、映像表示部１２３の画面に表示される制御情報のキャラクタを生成するキャラクタ生成部１１３と、映像表示部１２３の画面に表示される制御情報の表示位置を設定する表示位置設定部１１４と、表示位置に表示される制御情報と映像とを合成する合成部１１５と、映像表示部１２３に映像データ信号を伝送する信号伝送部１１６と、ＣＰＵ１１７とを備えている。
【００２３】
図２に示すように、映像表示部１２３は、複数の表示ユニット１３１で形成された画面に予め設定されたテストパターン映像を表示する映像表示手段１１０と、複数の表示ユニット１３１の制御情報をそれぞれ格納する複数の制御情報格納手段１３０と、複数の制御情報格納手段１３０に格納された制御情報に基づいて複数の表示ユニット１３１をそれぞれ制御する複数の表示制御手段１２０とを備えている。
【００２４】
ＣＰＵ１１７は、予め設定されたテストパターン映像の映像データ信号を生成する映像データ信号生成手段１４０と、画面を形成する複数の表示ユニット１３１から１つの表示ユニット１３１を選択する表示ユニット選択手段１５０と、選択された表示ユニット１３１の制御情報を変更する変更情報に基づいて制御情報を変更する制御情報変更手段１７０とを含んでいる。
【００２５】
表示ユニット選択手段１５０により選択された表示ユニット１３１であることを示すカーソルと制御情報とを予め設定されたテストパターン映像に合成する制御情報合成手段１６０は、表示位置設定部１１４とキャラクタ生成部１１３と合成部１１５とにより構成されている。
【００２６】
複数の表示ユニット１３１で形成された画面を予め複数のグループに分割し、制御情報合成手段１６０は、表示ユニット選択手段１５０により選択された表示ユニット１３１が含まれる第１グループと制御情報が表示される第２グループとが一致するか否かを判定し、前記第１グループと前記第２グループとが一致すると判定されたとき制御情報が表示される位置を設定された位置に変更するようになっている。
【００２７】
制御情報が、少なくとも表示ユニット１３１の輝度または色温度またはホワイトバランスの何れか一つを制御する制御情報を含み、制御情報変更手段１７０は、その変更情報に基づいて当該制御対象を変更するようになっている。
【００２８】
映像データ信号生成手段１４０は、画面に表示する予め設定されたテストパターン映像として、白色と、赤色と、緑色と、青色の少なくとも４種類のプレーン映像から１つのプレーン映像を選択する選択情報を取得し、選択情報に基づいてプレーン映像を画面に表示させる映像データ信号を生成するようになっている。
【００２９】
以上のように構成された映像表示装置について、図３を参照し、本発明の実施の形態の映像表示装置の動作について説明する。
【００３０】
まず、映像データ信号生成手段１４０により、予め設定されたテストパターン映像の映像データ信号が生成される。すなわち、複数の表示ユニット１３１で形成された画面に表示する予め設定されたテストパターン映像として、白色と、赤色と、緑色と、青色の少なくとも４種類のプレーン映像から１つのプレーン映像を選択する選択情報に基づいてプレーン映像の映像データ信号が生成される。（ステップＳ２１０）。次いで、表示ユニット１３１ごとに映像データ信号を取得し、制御情報格納手段１３０に格納された制御情報に基づいて画面に予め設定されたテストパターン映像を表示するよう複数の表示ユニット１３１が複数の表示制御手段１２０によりそれぞれ制御される（ステップＳ２２０）。次いで、映像表示手段１１０により、複数の表示ユニット１３１で形成された画面に予め設定されたテストパターン映像が表示される（ステップＳ２３０）。次いで、表示ユニット選択手段１５０により、複数の表示ユニット１３１から１つの表示ユニット１３１が選択される（ステップＳ２４０）。次いで、選択された表示ユニット１３１の制御情報が取得される（ステップＳ２５０）。次いで、制御情報合成手段１６０により、予め設定されたテストパターン映像に選択された表示ユニット１３１を示すカーソルと制御情報とが合成される。
【００３１】
このとき、制御情報合成手段１６０により、表示ユニット選択手段１５０により選択された表示ユニット１３１が含まれるグループと制御情報が表示されるグループとが一致するか否かを判定し、一致すると判定されたとき制御情報が表示される位置を予め設定された位置に変更して合成される（ステップＳ２６０）。図４は、映像表示部１２３の複数の表示ユニット１３１で形成された画面に表示ユニット選択手段１５０により選択された一つの表示ユニット１３１と制御情報とが表示された状態の映像の一例を示している。
【００３２】
また、複数の表示ユニット１３１で形成された画面を上下２つのグループに分割し、例えば、制御情報が予め画面下側のグループに表示されていたとする。この状態で画面下側のグループにカーソルが移動したのでは、表示ユニット選択手段１５０により選択される表示ユニット１３１の位置と制御情報が表示される位置とが重なるので、図５に示すように、制御情報を表示する位置が画面上側の位置に変更される。
【００３３】
次いで、複数の表示ユニット１３１で形成された画面に表示された制御情報を変更する変更情報を取得する（ステップＳ２７０）。次いで、制御情報変更手段１７０により、取得された変更情報に基づいて制御情報が変更される（ステップＳ２８０）。ここで、輝度制御情報を変更する変更情報を取得したとき、変更情報に基づいて輝度制御情報が変更され、選択された表示ユニット１３１の輝度ムラが補正される。また、色温度制御情報を変更する変更情報を取得したとき、変更情報に基づいて色温度制御情報が変更され、選択された表示ユニット１３１の色度ムラが補正される。また、ホワイトバランス制御情報を変更する変更情報を取得したとき、変更情報に基づいてホワイトバランス制御情報が変更され、選択された表示ユニット１３１のホワイトバランスが補正される。次いで、変更された制御情報が制御情報格納手段１３０に格納される（ステップＳ２９０）。
【００３４】
このようにテストパターン映像信号に、調整対象となる表示ユニットであることを示すカーソルと当該調整対象となっている表示ユニットの制御値とを合成することで、表示画面に制御値を表示させることができるので表示画面のみを確認しながら補正作業を行うことができる。
【００３５】
以上のように、本発明の実施の形態の映像表示装置１００は、コントローラ１２１が予め設定されたテストパターン映像に表示ユニット選択手段１５０により選択された表示ユニット１３１であることを示すカーソルと制御情報とを合成する制御情報合成手段１６０と、選択された表示ユニット１３１の制御情報を変更する変更情報に基づいて制御情報を変更する制御情報変更手段１７０とを備えているので、操作者が複数の表示ユニットで形成された画面に表示された映像の輝度ムラや色度ムラを補正する補正作業をするとき、補正対象の表示ユニットの映像と補正対象の表示ユニットの制御情報とを一つの画面で確認しながら輝度ムラや色度ムラを補正することにより、補正作業を容易にすることができる。
【００３６】
【発明の効果】
以上説明したように、本発明は、操作者が複数の表示ユニットで形成された画面に表示された映像の輝度ムラや色度ムラを補正する補正作業をするとき、補正対象の表示ユニットの映像と補正対象の表示ユニットの制御情報とを一つの画面で確認しながら輝度ムラや色度ムラを補正することにより、補正作業を容易にすることができるという効果を有する映像表示装置を提供することができるものである。
【図面の簡単な説明】
【図１】本発明の実施の形態の映像表示装置を示すブロック図
【図２】本発明の実施の形態の映像表示装置を示すブロック図
【図３】本発明の実施の形態の映像表示装置の処理手順を示すフローチャート
【図４】本発明の実施の形態の映像表示装置の画面に選択された表示ユニットと制御情報が表示された状態を示した図
【図５】本発明の実施の形態の映像表示装置の画面に選択された表示ユニットと制御情報が表示された状態を示した図
【図６】従来の映像表示装置のブロック図
【符号の説明】
１１１　ＡＤ変換部
１１２　映像調整部
１１３　キャラクタ生成部
１１４　表示位置設定部
１１５　合成部
１１６　信号伝送部
１１７　ＣＰＵ
１２１　コントローラ
１２２　信号分配器
１２３　映像表示部
１２４　リモート端末
１３１　表示ユニット
１００　映像表示装置
１１０　映像表示手段
１２０　表示制御手段
１３０　制御情報格納手段
１４０　映像データ信号生成手段
１５０　表示ユニット選択手段
１６０　制御情報合成手段
１７０　制御情報変更手段
【図１】
2004062070.tif 000003
【図２】
2004062070.tif 000004
【図３】
2004062070.tif 000005
【図４】
2004062070.tif 000006
【図５】
2004062070.tif 000007
【図６】
2004062070.tif 000008